(57)【要約】【課題】  片手で握り易く、かつスイッチ部の操作性を向上させることができる携帯端末を提供する。【解決手段】  ユーザが一方の手で把握した際に、ユーザが把握した手の示指Ｆ２が押し当てられる第１傾斜面である第１の指掛領域１７を有する指掛突起部１５が設けられたグリップ部１４を有する機器ケース１と、指掛突起部１５の第１の指掛領域１７側における機器ケース１に第１の指掛領域１７に対向して設けられ、この第１の指掛領域１７の傾斜面とほぼ同じ傾斜の第２傾斜面２６ａが設けられた釦部２１を有する下面トリガーキー２０と、を備えている。従って、グリップ部１４によって機器ケース１を確実にかつ良好に握ることができると共に、ユーザが把握した手の示指Ｆ２の指先の移動によって下面トリガーキー２０の釦部２１を容易にかつ良好に操作することができる。【選択図】        図９
2020057145.tif 000002
【特許請求の範囲】
【請求項１】
ユーザが一方の手で把握した際に、前記ユーザが把握した手の示指が押し当てられる第１傾斜面を有する指掛突起部が設けられたグリップ部を有する端末本体と、
前記指掛突起部の前記第１傾斜面側における前記端末本体に前記第１傾斜面に対向して設けられ、前記指掛突起部の前記第１傾斜面とほぼ同じ傾斜の第２傾斜面が設けられた釦部を有するスイッチ部と、
を備えていることを特徴とする携帯端末。
【請求項２】
請求項１に記載の携帯端末において、前記グリップ部は、ユーザが一方の手の母指を前記端末本体の第１の面に被せ、前記ユーザの他の指が前記端末本体の脇側から前記端末本体の前記第１の面の反対側に位置する第２の面に巻き付くような把握態様で、前記ユーザの手により把握した際に、前記ユーザの手の前記示指が前記指掛突起部の前記第１傾斜面側に押し当てられるように形成されていることを特徴とする携帯端末。
【請求項３】
請求項１または請求項２に記載の携帯端末において、前記グリップ部の前記指掛突起部の前記第１傾斜面と前記スイッチ部の前記釦部とは、ユーザが一方の手で前記グリップ部を前記把握態様で把握した際に、前記ユーザが把握した手の前記示指が配置される間隔を持って設けられていることを特徴とする携帯端末。
【請求項４】
請求項１〜請求項３のいずれかに記載の携帯端末において、前記釦部は、前記指掛突起部の高さよりも低く形成されていることを特徴とする携帯端末。
【請求項５】
請求項１〜請求項４のいずれかに記載の携帯端末において、前記釦部は、前記指掛突起部と反対側の一端部を支点として前記指掛突起部側の他端部側が回動することを特徴とする携帯端末。
【請求項６】
請求項１〜請求項５のいずれかに記載の携帯端末において、前記スイッチ部は、前記釦部によって押圧されて弾性変形する弾性部材を備え、前記弾性部材は、前記スイッチ部を防水する防水性を兼ね備えていることを特徴とする携帯端末。
【請求項７】
請求項１〜請求項６のいずれかに記載の携帯端末において、前記グリップ部は、前記端末本体の内部に設けられて前記グリップ部の前記第２の面側で開放される電池収納部を開閉可能に覆って前記端末本体に取り付けられ、かつ前記グリップ部の前記第２の面を形成する電池蓋を備えていることを特徴とする携帯端末。
【請求項８】
ユーザが一方の手で把握した際に、前記ユーザが把握した手の示指が押し当てられる第１傾斜面を有する指掛突起部が設けられたグリップ部を有する端末本体と、
前記指掛突起部の前記第１傾斜面側における前記端末本体に前記第１傾斜面に対向して設けられ、前記第１傾斜面側に押し当てられた状態の前記示指による釦部のスイッチ動作が阻止されるスイッチ部と、
を備えていることを特徴とする携帯端末。
【請求項９】
請求項８に記載の携帯端末において、前記グリップ部は、ユーザが一方の手の母指を前記端末本体の第１の面に被せ、前記ユーザの他の指が前記端末本体の脇側から前記端末本体の前記第１の面の反対側に位置する第２の面に巻き付くような把握態様で、前記ユーザの手により把握した際に、前記ユーザの手の前記示指が前記指掛突起部の前記第１傾斜面側に押し当てられるように形成されていることを特徴とする携帯端末。
【請求項１０】
請求項８または請求項９に記載の携帯端末において、前記グリップ部の前記第１傾斜面と前記スイッチ部の前記釦部とは、ユーザが一方の手で前記グリップ部を前記把握態様で把握した際に、前記ユーザが把握した手の前記示指が配置される間隔を持って設けられていることを特徴とする携帯端末。
【請求項１１】
請求項８〜請求項１０のいずれかに記載の携帯端末において、前記釦部は、前記指掛突起部の高さよりも低く形成されていることを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
この種の携帯端末は、機器ケースの上面に設けられたキー操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部の傾斜面に設けられた下面スイッチを示指でスイッチ操作するように構成されている。
【発明の概要】
【発明が解決しようとする課題】
【０００５】
しかしながら、このような携帯端末では、機器ケースの下面に設けられた指掛突起部の傾斜面に下面スイッチが設けられているため、機器ケースの上面に設けられたキー操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けた際に、誤って下面スイッチをスイッチ操作させてしまう恐れがあるため、下面スイッチの操作性が悪いという不都合がある。
【０００６】
この発明が解決しようとする課題は、片手で握り易く、かつスイッチ部の操作性を向上させることができる携帯端末を提供することである。
【課題を解決するための手段】
【０００７】
この発明は、ユーザが一方の手で把握した際に、前記ユーザが把握した手の示指が押し当てられる第１傾斜面を有する指掛突起部が設けられたグリップ部を有する端末本体と、前記指掛突起部の前記第１傾斜面側における前記端末本体に前記第１傾斜面に対向して設けられ、前記指掛突起部の前記第１傾斜面とほぼ同じ傾斜の第２傾斜面が設けられた釦部を有するスイッチ部と、を備えていることを特徴とする携帯端末である。
【０００８】
また、この発明は、ユーザが一方の手で把握した際に、前記ユーザが把握した手の示指が押し当てられる第１傾斜面を有する指掛突起部が設けられたグリップ部を有する端末本体と、前記指掛突起部の前記第１傾斜面側における前記端末本体に前記第１傾斜面に対向して設けられ、前記第１傾斜面に押し当てられた状態の前記示指による釦部のスイッチ動作が阻止されるスイッチ部と、を備えていることを特徴とする携帯端末である。
【発明の効果】
【０００９】
この発明によれば、片手で握り易く、かつスイッチ部の操作性を向上させることができる。
【図面の簡単な説明】
【００１０】
【図１】この発明を携帯端末に適用した一実施形態を示した正面図である。
【図２】図１に示された携帯端末の裏面図である。
【図３】図１に示された携帯端末を左側から見た側面図である。
【図４】図２に示された携帯端末において電池蓋を取り外した状態を示した裏面図である。
【図５】図１に示された携帯端末のＡ−Ａ矢視における断面図である。
【図６】図５に示された携帯端末における下面トリガーキーを示した要部の拡大断面図である。
【図７】図６に示された下面トリガーキーにおける下部ケースの内面を示した要部の拡大内面図である。
【図８】図６に示された下面トリガーキーを示した拡大斜視図である。
【図９】図８に示された下面トリガーキーの釦部を示した拡大斜視図である。
【図１０】図８に示された下面トリガーキーの弾性部材を示し、（ａ）はその拡大斜視図、（ｂ）は（ａ）のＢ−Ｂ矢視における拡大断面図である。
【図１１】図８に示された下面トリガーキーのスイッチ基板を示した拡大斜視図である。
【図１２】図８に示された下面トリガーキーの押え板を示した拡大斜視図である。
【発明を実施するための形態】
【００１１】
以下、図１〜図１２を参照して、この発明を適用した携帯端末の一実施形態について説明する。
この携帯端末は、図１〜図３に示すように、端末本体である機器ケース１を備えている。この機器ケース１は、縦方向（図１では上下方向）に長い縦長のほぼ長方形状に形成されている。
【００１２】
この機器ケース１は、図１〜図３に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１３】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１４】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１５】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１６】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１７】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１８】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１９】
また、機器ケース１の縦方向（長手方向）におけるほぼ中間部、つまり幅広部１ａと幅狭部１ｂとの境界部側に位置する幅広部１ａの両側部には、図１〜図４に示すように、側面トリガーキー８がそれぞれ設けられている。これら側面トリガーキー８およびキー操作部５の上面トリガーキー５ａは、光学読取部６による読取動作を実行させるためのものである。
【００２０】
さらに、この機器ケース１の下辺部側に位置する幅狭部１ｂには、図２〜図５に示すように、電池蓋１０で覆われる電池収納部１１がキー操作部５に対応して設けられている。この電池収納部１１は、充電池（図示せず）を収納するものであり、機器ケース１の幅狭部１ｂに設けられたキー操作部５に対応した状態で、機器ケース１の幅狭部１ｂの内部に設けられ、機器ケース１の裏面に設けられた開口部１１ａによって裏面側に開放されている。
【００２１】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２２】
これにより、電池蓋１０は、図２〜図５に示すように、電池収納部１１の開口部１１ａを開閉可能に覆った状態で、上辺部の縁部が一対の取付レバー１３によって係止されることにより、キー操作部５と対応した状態で、下部ケース３の裏面に取り付けられるように構成されている。また、この電池蓋１０は、その下辺部側の端部に支点突起部（図示せず）が設けられ、この支点突起部を支点として回転することにより、電池収納部１１を開閉するように構成されている。
【００２３】
ところで、機器ケース１の下辺部側に位置する幅狭部１ｂには、図１〜図３に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２４】
すなわち、このグリップ部１４は、図１〜図３に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２５】
これにより、グリップ部１４は、図１〜図３に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２６】
このため、グリップ部１４は、図１〜図３に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００２７】
また、このグリップ部１４のうち、裏面に位置する電池蓋１０には、図２、図３、図５に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に膨らみを持たせる形状に盛り上がる指掛突起部１５が設けられている。
【００２８】
この場合、機器ケース１の裏面には、図２、図３、図５に示すように、えぐれ部１６がグリップ部１４とこのグリップ部１４の延長上に位置する機器ケース１の他端部側との間に窪んで設けられている。すなわち、このえぐれ部１６は、電池蓋１０の指掛突起部１５と光学読取部６の読取突起部６ａとの間に窪んだ状態で設けられている。
【００２９】
指掛突起部１５は、図２、図３、図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３０】
すなわち、この頭頂部１５ａは、図２、図３、図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この指掛突起部１５は、頭頂部１５ａの一方側の裾野である第１の指掛領域１７と、頭頂部１５ａの他方側の裾野である第２の指掛領域１８と、を備えている。
【００３１】
第１の指掛領域１７は、図２、図３、図５に示すように、ユーザが上述した把握態様でグリップ部１４を把握した際に、示指Ｆ２が押し当てられる第１傾斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる傾斜面であり、頭頂部１５ａから電池蓋１０の下辺側に向けて緩やかに傾斜する傾斜面に形成されている。
【００３２】
すなわち、第１の指掛領域１７は、図２、図３、図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が電池蓋１０の縦方向（長手方向）における下辺部側、つまりユーザが把握する手側に向けて押し当てられて配置されるような傾斜面に形成されている。
【００３３】
この第１の指掛領域１７は、図２、図３、図５に示すように、グリップ部１４側に位置するえぐれ部１６の傾斜面でもあり、電池蓋１０の上辺側に位置する上辺側から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３４】
このため、この指掛突起部１５は、図２、図３、図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３５】
一方、第２の指掛領域１８は、図２、図３、図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の指Ｆ３〜Ｆ５の各腹がグリップ部１４の電池蓋１０を機器ケース１に向けて押し当てて、ユーザの中指Ｆ３〜小指Ｆ５が並んだ状態で自然に曲がるような湾曲面に形成されている。
【００３６】
すなわち、この第２の指掛領域１８は、図２、図３、図５に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３７】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００３８】
ところで、機器ケース１の下部ケース３における電池蓋１０の上辺部に接近する箇所、つまり電池蓋１０の上辺部に接近する箇所のえぐれ部１６には、図２〜図５に示すように、下面トリガーキー２０が設けられている。この下面トリガーキー２０は、キー操作部５の上面トリガーキー５ａおよび側面トリガーキー８と同様、光学読取部６による読取動作を実行させるためのスイッチ部である。
【００３９】
この下面トリガーキー２０は、図６〜図１２に示すように、釦部２１と弾性部材２２とスイッチ基板２３と押え板２４とを備え、この押え板２４によって釦部２１と弾性部材２２とスイッチ基板２３とが下部ケース３の内面に押し付けられた状態で取り付けられている。
【００４０】
この場合、下面トリガーキー２０の釦部２１とグリップ部１４の指掛突起部１５の第１傾斜面である第１の指掛領域１７とは、図３に示すように、ユーザが一方の手でグリップ部１４を上述した把握態様で把握した際に、ユーザが把握した手の示指Ｆ２が配置される間隔を持って設けられている。
【００４１】
この下面トリガーキー２０の釦部２１は、図６〜図９に示すように、釦本体２５と頭部２６とを備えている。釦本体２５は、頭部２６が一体に設けられた座部２５ａと、この座部２５ａから延長された一対のアーム部２５ｂと、一対のアーム部２５ｂの先端部間に設けられた軸部２５ｃと、を備えている。この場合、座部２５ａは、外周が下部ケース３の内面に設けられた釦孔２７の内周よりも大きく形成されている。
【００４２】
これにより、釦本体２５は、図６〜図９に示すように、座部２５ａが下部ケース３の内面に設けられた釦孔２７に対応した状態で、軸部２５ｃが下部ケース３の釦孔２７を挟んでグリップ部１４の指掛突起部１５と反対側の下部ケース３の内面に設けられた軸保持部２８に回動可能な状態で配置されて、座部２５ａの外周縁が下部ケース３の釦孔２７の内周縁に接離可能に当接するように構成されている。
【００４３】
頭部２６は、図６〜図９に示すように、釦本体２５の座部２５ａに設けられて、下部ケース３の釦孔２７に下部ケース３の内部側から外部側に向けて挿入され、釦本体２５の軸部２５ｃを中心とする釦本体２５の回動動作と共に上下方向に回動移動するように構成されている。
【００４４】
また、この頭部２６の上面には、図６〜図９に示すように、第２傾斜面２６ａが設けられている。この第２傾斜面２６ａは、グリップ部１４の指掛突起部１５側の一端部が高く、指掛突起部１５と反対側の他端部に向けて次第に低くなる傾斜で、指掛突起部１５における第１の指掛領域１７の傾斜とほぼ同じ傾斜で設けられている。
【００４５】
これにより、釦部２１は、図６〜図９に示すように、頭部２６が下部ケース３の釦孔２７に下部ケース３の内部側から外部に向けて挿入され、この状態で釦本体２５の軸部２５ｃが下部ケース３の内面に設けられた軸保持部２８に回動可能な状態で配置されて、座部２５ａの外周縁が下部ケース３の釦孔２７の内周縁に接離可能に当接するように構成されている。
【００４６】
この場合、釦部２１は、図６〜図９に示すように、下部ケース３の釦孔２７から下部ケース３の外部に突出した高さが、グリップ部１４の指掛突起部１５の第１傾斜面である第１の指掛領域１７の高さよりも低く、例えば指掛突起部１５の第１傾斜面である第１の指掛領域１７の高さの1/2程度と低く形成されている。
【００４７】
弾性部材２２は、図６〜図８、図１０に示すように、ほぼ長方形状の弾性シート部３０と、この弾性シート部３０の一端部側に設けられたドーム状の膨出部３１と、弾性シート部３０の他端部側に設けられた軸押え部３２および逃し凹部３３と、弾性シート部３０の周囲に設けられた枠状のパッキン部３４と、を備え、これらがシリコーンゴム、ウレタンゴムなどの弾性材料によって形成されている。
【００４８】
この弾性部材２２の弾性シート部３０は、図６〜図８、図１０に示すように、下部ケース３の内面における釦孔２７と軸保持部２８とを覆う大きさのほぼ長方形状に形成されている。ドーム状の膨出部３１は、弾性シート部３０における釦部２１の頭部２６に対応する箇所に釦本体２５の座部２５ａに向けて膨出形成されている。
【００４９】
この膨出部３１の内面には、図１０（ａ）および図１０（ｂ）に示すように、スイッチ押圧部３１ａが突出して設けられている。また、この膨出部３１の外面には、貫通しない穴部３１ｂがスイッチ押圧部３１ａに対応して設けられている。この穴部３１ｂは、釦部２１の釦本体２５における座部２５ａの下面に設けられた押圧突起２５ｄが嵌め込まれる穴である。これにより、膨出部３１は、釦部２１の釦本体２５の押圧突起２５ｄによって押圧された際に、潰れるように弾性変形するように構成されている。
【００５０】
この弾性部材２２の軸押え部３２は、図６〜図８、図１０に示すように、弾性シート部３０における釦部２１の釦本体２５における軸部２５ｃに対応する箇所に設けられた肉厚の厚い部分である。この軸押え部３２は、弾性シート部３０が下部ケース３の内面に配置された際に、釦本体２５の軸部２５ｃに押し当てられて軸部２５ｃを軸保持部２８に回動可能な状態で保持させるように構成されている。
【００５１】
また、弾性部材２２の逃し凹部３３は、図６〜図８、図１０に示すように、後述するスイッチ基板２３に設けられたチップ部品３６に対応して、弾性シート部３０の下面に設けられている。すなわち、逃し凹部３３は、弾性シート部３０の下面にスイッチ基板２３が配置された際に、スイッチ基板２３に設けられたチップ部品３６が挿入されて配置されるように構成されている。
【００５２】
また、弾性部材２２のパッキン部３４は、図６〜図８、図１０に示すように、弾性シート部３０の周囲に設けられた枠状部であり、下部ケース３の内面に釦孔２７と軸保持部２８とを囲うようにして設けられた環状の溝部２９に弾力的に嵌め込まれるように構成されている。
【００５３】
このパッキン部３４は、図６〜図８、図１０に示すように、下部ケース３の内面の溝部２９に弾力的に嵌め込まれることにより、弾性シート部３０が下部ケース３の溝部２９で囲われた内側を覆った状態で、弾性シート部３０を下部ケース３の内面に取り付けるように構成されている。これにより、弾性部材２２は、下面トリガーキー２０の防水を図るように構成されている。
【００５４】
スイッチ基板２３は、図６〜図８、図１１に示すように、弾性部材２２の弾性シート部３０とほぼ同じ大きさの長方形状に形成されている。このスイッチ基板２３の上面には、スイッチ素子３５が弾性部材２２の弾性部材２２の膨出部３１内に設けられたスイッチ押圧部３１ａに対応して設けられていると共に、チップ部品３６が弾性部材２２の逃し凹部３３に対応して設けられている。
【００５５】
スイッチ素子３５は、図６〜図８、図１１に示すように、弾性部材２２の膨出部３１が釦部２１の押圧突起２５ｄによって押された際に、膨出部３１内のスイッチ押圧部３１ａによって押圧されてスイッチ動作するものである。このスイッチ素子３５は、例えば皿ばねと固定接点（いずれも図示せず）とを備え、皿ばねが膨出部３１内のスイッチ押圧部３１ａによって押圧されて固定接点に接触することにより、スイッチ信号を出力するように構成されている。
【００５６】
このスイッチ素子３５は、図１１に示すように、スイッチ基板２３の下面に設けられた一対の接続端子３７と電気的に接続されている。この場合、一対の接続端子３７は、スイッチ基板２３の下面におけるほぼ中央で、チップ部品３６に対応する箇所を避けた位置に設けられている。
【００５７】
また、このスイッチ基板２３には、図６〜図８、図１１に示すように、一対の基板位置決め部３８が対角線上の角部に突出して設けられている。これら一対の基板位置決め部３８は、下部ケース３の内面における溝部２９の外側に設けられた一対の位置決めピン３９が挿入することにより、下部ケース３の内面にスイッチ基板２３を位置決めするように構成されている。この場合、位置決めピン３９は、下部ケース３の内面に設けられた環状の溝部２９の対角線上の角部の外側に設けられている。
【００５８】
押え板２４は、図６〜図８、図１２に示すように、スイッチ基板２３とほぼ同じ大きさの長方形状に形成されている。この押え板２４には、一対の押え板位置決め部４０がスイッチ基板２３の一対の基板位置決め部３８に対応して設けられている。これら一対の押え板位置決め部４０は、下部ケース３の内面に設けられた一対の位置決めピン３９がスイッチ基板２３の一対の基板位置決め部３８を通して挿入することにより、下部ケース３の内面に押え板２４を位置決めするように構成されている。
【００５９】
また、この押え板２４の四隅には、図６〜図８、図１２に示すように、複数の取付部４１がそれぞれ設けられている。これら複数の取付部４１それぞれは、ビス（図示せず）が挿入するビス挿入孔４１ａと、このビス挿入孔４１ａの周囲にほぼＣ字形状に設けられたリブ部４１ｂと、を備えている。この場合、リブ部４１ｂは、スイッチ基板２３の厚みよりも少し高く形成されている。
【００６０】
これら複数の取付部４１は、図６〜図８、図１２に示すように、一対の押え板位置決め部４０によって押え板２４が下部ケース３の内面に位置決めされた際に、複数の取付部４１が下部ケース３の内面に設けられた複数の固定部４２にそれぞれ対応して配置される。この場合、複数の固定部４２は、図７に示すように、下部ケース３の内面に設けられた環状の溝部２９の四隅の外側に設けられたねじ穴４２ａを有するボス部である。
【００６１】
これにより、押え板２４は、図６〜図８、図１２に示すように、複数の取付部４１を下部ケース３の内面に設けられた複数の固定部４２に対応させた際に、取付部４１のリブ部４１ｂが下部ケース３の固定部４２に当接した状態で、取付部４１のビス挿入孔４１ａが下部ケース３の固定部４２のねじ穴４２ａに対応するように構成されている。
【００６２】
また、この押え板２４は、図６〜図８、図１２に示すように、複数の取付部４１を下部ケース３の内面に設けられた複数の固定部４２に対応させた状態で、取付部４１のビス挿入孔４１ａにビス（図示せず）を挿入させて固定部４２のねじ穴４２ａに螺入させて締め付けることにより、スイッチ基板２３を押え付けて下部ケース３の内面に取り付けられるように構成されている。
【００６３】
さらに、この押え板２４には、図６〜図８、図１２に示すように、接続孔４３がスイッチ基板２３の一対の接続端子３７に対応して設けられている。この接続孔４３は、内部にインターコネクタなどの接続部材４４が配置されるようになっている。この接続部材４４は、スイッチ基板２３の一対の接続端子３７と機器ケース１内の回路基板４５とを電気的に接続するようになっている。
【００６４】
次に、このような携帯端末の作用について説明する。
まず、下部ケース３に下面トリガーキー２０を取り付ける場合について説明する。この場合には、下部ケース３の内面に釦部２１を配置する。このときには、釦部２１の頭部２６を下部ケース３の内側から下部ケース３の釦孔２７に挿入させ、この状態で釦本体２５の軸部２５ｃを下部ケース３の軸保持部２８に配置させる。
【００６５】
これにより、釦部２１は、頭部２６が下部ケース３内から外部に突出した状態で、軸部２５ｃを中心に上下方向に回動可能に配置される。この状態では、下部ケース３から突出した頭部２６の第２傾斜面２６ａが機器ケース１のグリップ部１４における指掛突起部１５の第１の指掛領域１７の傾斜と同じ傾斜でほぼ平行に配置される。
【００６６】
この場合、下面トリガーキー２０の釦部２１は、グリップ部１４の指掛突起部１５の第１傾斜面である第１の指掛領域１７との間に、ユーザが一方の手でグリップ部１４を上述した把握態様で把握した際に、ユーザが把握した手の示指Ｆ２が配置される間隔を持って配置されている。
【００６７】
この状態で、弾性部材２２を下部ケース３の内面に取り付ける。この場合には、まず、弾性シート部３０に設けられた膨出部３１を釦部２１の押圧突起２５ｄに対応させると共に、弾性シート部３０に設けられた軸押え部３２を釦部２１の軸部２５ｃに対応させる。この状態で、弾性シート部３０の外周に設けられた枠状のパッキン部３４を下部ケース３の内面に釦孔２７および軸保持部２８を囲うように設けられた溝部２９に嵌め込む。
【００６８】
これにより、弾性部材２２が下部ケース３の内面に取り付けられる。この場合には、パッキン部３４が下部ケース３の内面の溝部２９に嵌め込まれると、弾性シート部３０が下部ケース３の溝部２９で囲われた内側を覆って配置される。このため、下面トリガーキー２０は、弾性部材２２によって防水が図れている。
【００６９】
また、このときには、弾性シート部３０の膨出部３１に設けられた穴部３１ａに釦部２１の押圧突起２５ｄが弾力的に嵌め込まれる。これにより、弾性部材２２は、釦部２１の回動動作に伴って膨出部３１が弾性変形する。また、このときには、弾性シート部３０の軸押え部３２が釦部２１の軸部２５ｃを回動可能に弾力的に押え付ける。
【００７０】
この状態で、スイッチ基板２３を下部ケース３の内面に配置する。このときには、まず、スイッチ基板２３の一対の基板位置決め部３８を下部ケース３の一対の位置決めピン３９に対応させて、一対の基板位置決め部３８に一対の位置決めピン３９を挿入させる。これにより、下部ケース３の内面にスイッチ基板２３が弾性部材２２を覆った状態で位置決めされる。
【００７１】
これにより、スイッチ基板２３のスイッチ素子３５が弾性部材２２の膨出部３１内のスイッチ押圧部３１ａに対応して接触する。また、このときには、スイッチ基板２３のチップ部品３６が弾性部材２２の逃し凹部３３に対応して逃し凹部３３内に配置される。
【００７２】
この状態で、押え板２４を下部ケース３の内面に取り付ける。このときには、まず、押え板２４の一対の押え板位置決め部４０をスイッチ基板２３の一対の基板位置決め部３８に対応させ、この状態でスイッチ基板２３の一対の基板位置決め部３８に挿入された下部ケース３の一対の位置決めピン３９を押え板２４の一対の押え板位置決め部４０に挿入させる。これにより、押え板２４が位置決めされる。
【００７３】
すると、押え板２４の接続孔４３がスイッチ基板２３の一対の接続端子３７に対応し、押え板２４の複数の取付部４１が下部ケース３の内面に設けられた複数の固定部４２にそれぞれ対応する。これにより、押え板２４の複数の取付部４１の各リブ部４１ａが下部ケース３の内面に設けられた複数の固定部４２に押し当てられて、押え板２４の複数の取付部４１の各ビス挿入孔４１ａが下部ケース３の複数の固定部４２の各ねじ穴４２ａに対応する。
【００７４】
この状態で、押え板２４の複数の取付部４１の各ビス挿入孔４１ａにビス（図示せず）をそれぞれ挿入させて、下部ケース３の複数の固定部４２の各ねじ穴４２ａに螺入させて締める。これにより、押え板２４がスイッチ基板２３を押え付けて下部ケース３の内面に取り付けられる。
【００７５】
このときには、押え板２４によって押え付けられたスイッチ基板２３が弾性部材２２を下部ケース３の内面に押え付け、この弾性部材２２の軸押え部３２が釦部２１の軸部２５ｃを回動可能な状態で押え付ける。これにより、スイッチ基板２３、弾性部材２２、釦部２１が押え板２４によって下部ケース３の内面に押し付けられて取り付けられる。この状態で、接続部材４４の一端部を押え板２４の接続孔４３に挿入させて、スイッチ基板２３の一対の接続端子３７に押し当てる。
【００７６】
そして、この接続部材４４の他端部を機器ケース１内の回路基板４５に押し当てることにより、スイッチ基板２３の一対の接続端子３７と機器ケース１内の回路基板４５とが接続部材４４によって電気的に接続される。これにより、下面トリガーキー２０が下部ケース３に組み付けられる。
【００７７】
また、電池蓋１０を機器ケース１の裏面、つまり下部ケース３の裏面に取り付ける場合には、電池蓋１０を機器ケース１の幅狭部１ｂに設けられた電池収納部１１に対応させて取り付ける。このときには、電池蓋１０の下辺部の支点突起部（図示せず）を電池収納部１１の下辺側の内部に挿入させて係止させ、この係止された電池蓋１０の支点突起部を支点として、電池蓋１０を回転させて、電池蓋１０を下部ケース３に配置させる。
【００７８】
すると、電池蓋１０の縁部が、下部ケース３の裏面に設けられた一対の取付レバー１３に対応する。このため、これら一対の取付レバー１３を回転操作させることにより、一対の取付レバー１３によって電池蓋１０の縁部が下部ケース３の裏面に押し付けられて係止される。これにより、電池蓋１０が電池収納部１１を覆って下部ケース３の裏面に取り付けられる。これにより、機器ケース１にグリップ部１４が設けられる。
【００７９】
この状態では、グリップ部１４の指掛突起部１５の第１の指掛領域１７と下面トリガーキー２０の釦部２１とが所定の間隔、つまりユーザが一方の手でグリップ部１４を上述した把握態様で把握した際に、ユーザが把握した手の示指Ｆ２が配置される間隔をもって配置される。また、この状態では、釦部２１の頭部２６に設けられた第２傾斜面２６ａと指掛突起部１５の第１の指掛領域１７の斜面とが、同じ傾斜でほぼ平行な状態で配置される。
【００８０】
次に、このような携帯端末を使用する場合について説明する。
この場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００８１】
このときには、母指Ｆ１が機器ケース１の表面のキー操作部５上に配置され、ユーザが把握する手の示指Ｆ２と中指Ｆ３との間に膨らみを持たせる形状の指掛突起部１５の頭頂部１５ａが配置され、この状態で示指Ｆ２の腹が機器ケース１の裏面側に位置する電池蓋１０の指掛突起部１５における第１傾斜面である第１の指掛領域１７に押し当てられ、他の指Ｆ３〜Ｆ５の各腹が指掛突起部１５の第２の指掛領域１８上に配置される。
【００８２】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の指掛突起部１５における第１の指掛領域１７の傾斜面に押し当て、この状態で第１の指掛領域１７を機器ケース１の下辺部側つまりユーザが把握する手側に向けて、その把握手の示指Ｆ２を引き寄せる。
【００８３】
この場合、示指Ｆ２の腹が電池蓋１０の指掛突起部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。このときには、ユーザが把握する手の示指Ｆ２が第１の指掛領域１７と下面トリガーキー２０の釦部２１との間に配置される。この状態では、下面トリガーキー２０の釦部２１がユーザが把握する手の示指Ｆ２によって操作されることはない。
【００８４】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が指掛突起部１５の第２の指掛領域１８上に押し当てられる。この状態では、指Ｆ３〜Ｆ５が第２の指掛領域１８の湾曲に沿って自然に曲がった状態で並んで配置される。
【００８５】
これにより、ユーザが把握する手の示指Ｆ２と中指Ｆ３との間に、膨らみを持たせる形状の指掛突起部１５の頭頂部１５ａが配置された状態で、中指Ｆ３〜小指Ｆ５が指掛突起部１５の第２の指掛領域１８を包み込むように自然に曲がって状態で第２の指掛領域１８に並んで配置される。このため、指Ｆ３〜Ｆ５が第２の指掛領域１８の湾曲面に沿って安定した状態で良好に配置される。これによって、ユーザが片手で機器ケース１のグリップ部１４を確実にかつ良好に把握することができる。
【００８６】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００８７】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００８８】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができると共に、母指Ｆ１を機器ケース１の側面に移動させて、側面トリガーキー８をキー操作することができる。
【００８９】
また、ユーザが機器ケース１のグリップ部１４を握った状態で、下面トリガーキー２０を操作する場合には、ユーザの把握手の示指Ｆ２の指先を下面トリガーキー２０の釦部２１の頭部２６に移動させる。このときには、釦部２１の高さが指掛突起部１５の第１の指掛領域１７の高さの1/2程度と低いので、ユーザの把握手の示指Ｆ２の指先を下面トリガーキー２０の釦部２１の頭部２６に容易に移動させることができる。
【００９０】
そして、釦部２１の頭部２６に移動したユーザの把握手の示指Ｆ２の指先で釦部２１の頭部２６を引き寄せるように押せば良い。このときには、釦部２１の頭部２６の上面が指掛突起部１５の第１の指掛領域１７の傾斜面と同じ傾斜の第２傾斜面２６ａに形成されているので、ユーザの把握手の示指Ｆ２の指先で引き寄せるように押せば、下面トリガーキー２０の釦部２１を示指Ｆ２で容易に操作することができる。
【００９１】
すなわち、下面トリガーキー２０の釦部２１がユーザの把握手の示指Ｆ２の指先で引き寄せるように押された際には、釦部２１が釦本体２５の軸部２５ｃを中心に回動して、釦本体２５の押圧突起２５ｄによって弾性部材２２の膨出部３１が押されるので、膨出部３１が潰れるように弾性変形する。すると、膨出部３１内のスイッチ押圧部３１ａがスイッチ基板２３のスイッチ素子３５を押してオン動作させる。
【００９２】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００９３】
ところで、ユーザが把握する手の示指Ｆ２が第１の指掛領域１７と下面トリガーキー２０の釦部２１との間に配置されている状態では、ユーザが把握する手の示指Ｆ２の背中、つまり示指Ｆ２の腹と反対側に位置する背中が下面トリガーキー２０の釦部２１に接触したり押し当てられたりしても、釦部２１が釦本体２５の軸部２５ｃを中心に回動することがない。
【００９４】
すなわち、下面トリガーキー２０の釦部２１は、指掛突起部１５の第１の指掛領域１７と反対側の釦部２１の一端部に設けられた軸部２５ｃを支点して釦部２１の他端部側が回動作するので、ユーザが把握する手の示指Ｆ２の背中が釦部２１に接触したり押し当てられたりしても、ユーザが把握する手の示指Ｆ２によって下面トリガーキー２０の釦部２１が不用意に操作されることはない。このため、ユーザが把握する手の示指Ｆ２による下面トリガーキー２０の誤操作が防げる。
【００９５】
このように、この携帯端末によれば、ユーザが一方の手で把握した際に、ユーザが把握した手の示指Ｆ２が押し当てられる第１傾斜面である第１の指掛領域１７を有する指掛突起部１５が設けられたグリップ部１４を有する端末本体である機器ケース１と、指掛突起部１５の第１の指掛領域１７側における機器ケース１の下部ケース３に第１の指掛領域１７に対向して設けられ、この第１の指掛領域１７の傾斜面とほぼ同じ傾斜の第２傾斜面２６ａが設けられた釦部２１を有するスイッチ部である下面トリガーキー２０と、を備えていることにより、片手で握り易く、かつ下面トリガーキー２０の操作性を向上させることができる。
【００９６】
すなわち、この携帯端末では、ユーザが一方の手でグリップ部１４を把握した際に、ユーザが把握した手の示指Ｆ２を指掛突起部１５の第１の指掛領域１７に押し当てることができるので、グリップ部１４を確実にかつ良好に握ることができ、このようにグリップ１４を握っても、下面トリガーキー２０の釦部２１がユーザの把握した手の示指Ｆ２によってスイッチ操作されることがないので、下面トリガーキー２０の誤操作を防ぐことができる。
【００９７】
また、この携帯端末では、ユーザが一方の手でグリップ部１４を把握した状態で、下面トリガーキー２０を操作する際に、ユーザが把握した手の示指Ｆ２の指先を下面トリガーキー２０の釦部２１に移動させると、釦部２１の第２傾斜面２６ａにユーザが把握した手の示指Ｆ２の指先をあてがうことができる。これにより、ユーザが把握した手の示指Ｆ２の指先を引き寄せるように釦部２１の第２傾斜面２６ａを操作させることができるので、下面トリガーキー２０の釦部２１を容易にかつ良好に操作することができ、これにより下面トリガーキー２０の操作性を向上させることができる。
【００９８】
この場合、グリップ部１４は、ユーザが一方の手の母指Ｆ１を機器ケース１の第１の面である上面に被せ、ユーザの他の指Ｆ２〜Ｆ５が機器ケース１の脇側から機器ケース１の第２の面である下面に自然に巻き付くような把握態様で、ユーザの手により把握した際に、ユーザの手の示指Ｆ２が指掛突起部１５の第１の指掛領域１７側に押し当てられるように形成されていることにより、ユーザが一方の手によってグリップ部１４を良好に把握することができる。
【００９９】
また、この携帯端末では、グリップ部１４の指掛突起部１５の第１の指掛領域１７と下面トリガーキー２０の釦部２１とが、ユーザが一方の手でグリップ部１４を上述した把握態様で把握した際に、ユーザが把握した手の示指Ｆ２が配置される間隔を持って設けられていることにより、ユーザが一方の手でグリップ部１４を把握した際に、ユーザが把握した手の示指Ｆ２を指掛突起部１５の第１の指掛領域１７と下面トリガーキー２０の釦部２１との間に良好に配置させることができるので、ユーザが把握した手の示指Ｆ２によって下面トリガーキー２０が不用意にスイッチ操作されるのを防ぐことができる。
【０１００】
また、この携帯端末では、釦部２１が指掛突起部１５の高さよりも低く形成されていることにより、ユーザが一方の手でグリップ部１４を把握した状態で、下面トリガーキー２０を操作する際に、釦部２１の高さが指掛突起部１５の高さよりも低いので、ユーザが把握した手の示指Ｆ２の指先を下面トリガーキー２０の釦部２１に容易に移動させることができ、これにより釦部２１の第２傾斜面２６ａにユーザが把握した手の示指Ｆ２の指先を容易にかつ良好にあてがうことができるので、下面トリガーキー２０の操作性を向上させることができる。
【０１０１】
また、この下面トリガーキー２０の釦部２１は、指掛突起部１５と反対側の一端部を支点として、指掛突起部１５側の他端部側が回動することにより、ユーザが一方の手でグリップ部１４を把握した手の示指Ｆ２を指掛突起部１５の第１の指掛領域１７に押し当てた状態で、ユーザが把握した手の示指Ｆ２が釦部２１に接触したり押し当てられたりしても、指掛突起部１５と反対側の一端部を支点として釦部２１が回動することがないので、これによっても下面トリガーキー２０がユーザの把握した手の示指Ｆ２によって不用意にスイッチ操作されるのを防ぐことができる。
【０１０２】
また、この携帯端末では、下面トリガーキー２０が釦部２１によって押圧されて弾性変形する弾性部材２２を備え、この弾性部材２２が下面トリガーキー２０の防水を図る防水性を兼ね備えていることにより、釦部２１の頭部２６と機器ケース１の下部ケース３に設けられた釦孔２７との間から水が侵入しても、この浸入した水が機器ケース１内に侵入するのを弾性部材２２によって防ぐことができるので、下面トリガーキー２０の防水を図ることができる。
【０１０３】
さらに、この携帯端末では、機器ケース１の内部に設けられてグリップ部１４の第２の面側である下面側で開放される電池収納部１１を開閉可能に覆って機器ケース１に取り付けられ、かつグリップ部１４の下面を形成する電池蓋１０を備えていることにより、電池蓋１０に指掛突起部１５を設けることができるので、グリップ部１４を有する機器ケース１の形状が複雑にならず、機器ケース１の形状を単純化することができる。
【０１０４】
また、この携帯端末では、ユーザが一方の手で把握した際に、ユーザが把握した手の示指Ｆ２が押し当てられる第１傾斜面である第１の指掛領域１７を有する指掛突起部１５が設けられたグリップ部１４を有する機器ケース１と、指掛突起部１５の第１の指掛領域１７側における機器ケース１に第１の指掛領域１７に対向して設けられ、第１の指掛領域１７に押し当てられた状態の示指Ｆ２による釦部２１のスイッチ動作が阻止される下面トリガーキー２０と、を備えていることにより、片手で握り易く、かつ下面トリガーキー２０の操作性を向上させることができる。
【０１０５】
すなわち、この携帯端末では、ユーザが一方の手でグリップ部１４を把握した際に、ユーザが把握した手の示指Ｆ２を指掛突起部１５の第１の指掛領域１７に押し当てることができるので、グリップ部１４を確実にかつ良好に握ることができ、このようにグリップ１４を握って、第１の指掛領域１７に押し当てられた状態の示指Ｆ２によって下面トリガーキー２０の釦部２１がスイッチ操作されることがないので、下面トリガーキー２０の誤操作を防ぐことができる。
【０１０６】
また、この携帯端末では、ユーザが一方の手でグリップ部１４を把握した状態で、下面トリガーキー２０を操作する際に、ユーザが把握した手の示指Ｆ２の指先を下面トリガーキー２０の釦部２１に移動させることにより、下面トリガーキー２０の釦部２１を容易にかつ良好に操作することができるので、下面トリガーキー２０の操作性を向上させることができる。
【０１０７】
なお、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【０１０８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０９】
（付記）
請求項１に記載の発明は、ユーザが一方の手で把握した際に、前記ユーザが把握した手の示指が押し当てられる第１傾斜面を有する指掛突起部が設けられたグリップ部を有する端末本体と、前記指掛突起部の前記第１傾斜面側における前記端末本体に前記第１傾斜面に対向して設けられ、前記指掛突起部の前記第１傾斜面とほぼ同じ傾斜の第２傾斜面が設けられた釦部を有するスイッチ部と、を備えていることを特徴とする携帯端末である。
【０１１０】
請求項２に記載の発明は、請求項１に記載の携帯端末において、前記グリップ部は、ユーザが一方の手の母指を前記端末本体の第１の面に被せ、前記ユーザの他の指が前記端末本体の脇側から前記端末本体の前記第１の面の反対側に位置する第２の面に巻き付くような把握態様で、前記ユーザの手により把握した際に、前記ユーザの手の前記示指が前記指掛突起部の前記第１傾斜面側に押し当てられるように形成されていることを特徴とする携帯端末である。
【０１１１】
請求項３に記載の発明は、請求項１または請求項２に記載の携帯端末において、前記グリップ部の前記指掛突起部の前記第１傾斜面と前記スイッチ部の前記釦部とは、ユーザが一方の手で前記グリップ部を前記把握態様で把握した際に、前記ユーザが把握した手の前記示指が配置される間隔を持って設けられていることを特徴とする携帯端末である。
【０１１２】
請求項４に記載の発明は、請求項１〜請求項３のいずれかに記載の携帯端末において、前記釦部は、前記指掛突起部の高さよりも低く形成されていることを特徴とする携帯端末である。
【０１１３】
請求項５に記載の発明は、請求項１〜請求項４のいずれかに記載の携帯端末において、前記釦部は、前記指掛突起部と反対側の一端部を支点として前記指掛突起部側の他端部側が回動することを特徴とする携帯端末である。
【０１１４】
請求項６に記載の発明は、請求項１〜請求項５のいずれかに記載の携帯端末において、前記スイッチ部は、前記釦部によって押圧されて弾性変形する弾性部材を備え、前記弾性部材は、前記スイッチ部を防水する防水性を兼ね備えていることを特徴とする携帯端末である。
【０１１５】
請求項７に記載の発明は、請求項１〜請求項６のいずれかに記載の携帯端末において、前記グリップ部は、前記端末本体の内部に設けられて前記グリップ部の前記第２の面側で開放される電池収納部を開閉可能に覆って前記端末本体に取り付けられ、かつ前記グリップ部の前記第２の面を形成する電池蓋を備えていることを特徴とする携帯端末である。
【０１１６】
請求項８に記載の発明は、ユーザが一方の手で把握した際に、前記ユーザが把握した手の示指が押し当てられる第１傾斜面を有する指掛突起部が設けられたグリップ部を有する端末本体と、前記指掛突起部の前記第１傾斜面側における前記端末本体に前記第１傾斜面に対向して設けられ、前記第１傾斜面側に押し当てられた状態の前記示指による釦部のスイッチ動作が阻止されるスイッチ部と、を備えていることを特徴とする携帯端末である。
【０１１７】
請求項９に記載の発明は、請求項８に記載の携帯端末において、前記グリップ部は、ユーザが一方の手の母指を前記端末本体の第１の面に被せ、前記ユーザの他の指が前記端末本体の脇側から前記端末本体の前記第１の面の反対側に位置する第２の面に巻き付くような把握態様で、前記ユーザの手により把握した際に、前記ユーザの手の前記示指が前記指掛突起部の前記第１傾斜面側に押し当てられるように形成されていることを特徴とする携帯端末である。
【０１１８】
請求項１０に記載の発明は、請求項８または請求項９に記載の携帯端末において、前記グリップ部の前記第１傾斜面と前記スイッチ部の前記釦部とは、ユーザが一方の手で前記グリップ部を前記把握態様で把握した際に、前記ユーザが把握した手の前記示指が配置される間隔を持って設けられていることを特徴とする携帯端末である。
【０１１９】
請求項１１に記載の発明は、請求項８〜請求項１０のいずれかに記載の携帯端末において、前記釦部は、前記指掛突起部の高さよりも低く形成されていることを特徴とする携帯端末である。
【符号の説明】
【０１２０】
１  機器ケース
２  上部ケース
３  下部ケース
４  表示部
５  キー操作部
１０  電池蓋
１１  電池収納部
１１ａ  開口部
１３  取付レバー
１４  グリップ部
１５  指掛突起部
１５ａ  頭頂部
１７  第１の指掛領域（第１傾斜面）
１８  第２の指掛領域
２０  下面トリガーキー
２１  釦部
２２  弾性部材
２３  スイッチ基板
２４  押え板
２５  釦本体
２５ａ  座部
２５ｂ  アーム部
２５ｃ  軸部
２５ｄ  押圧突起
２６  頭部
２６ａ  第２傾斜面
【図１】
2020057145.tif 000003
【図２】
2020057145.tif 000004
【図３】
2020057145.tif 000005
【図４】
2020057145.tif 000006
【図５】
2020057145.tif 000007
【図６】
2020057145.tif 000008
【図７】
2020057145.tif 000009
【図８】
2020057145.tif 000010
【図９】
2020057145.tif 000011
【図１０】
2020057145.tif 000012
【図１１】
2020057145.tif 000013
【図１２】
2020057145.tif 000014